(57)【要約】      （修正有）【課題】高所に設置されている作業対象物である表示器を床上で作業ができる位置まで下降させる機能を設けた昇降機能付きディスプレイ表示器を提供する。【解決手段】高所に設置される、筐体１の内部にディスプレイを含む表示機構部２を有し、筐体１の前面に前記ディスプレイに面した窓３を有する表示器において、表示機構部２が筐体１内部の左右に設けられた２本の伸縮自在な支柱１１の下部に支持され、伸縮自在な支柱１１の上端は筐体１の天板下面に固定され、下端は筐体１の底板１ｂの中央部を切り抜いて分離された分離底板１ｃの上面に支持され、伸縮自在な支柱１１は筐体１内の駆動機構により下端部が下降し、表示機構部２を筐体１外の下方に突出可能な構成である。【選択図】図６
0003233944.tif 000002
【実用新案登録請求の範囲】
【請求項１】
高所に設置される、筐体の内部にディスプレイを含む表示機構部を有し、筐体の前面に前記ディスプレイに面した窓を有する表示器において、
前記表示機構部が筐体内部の左右に設けられた２本の伸縮自在な支柱の下部に支持され、前記伸縮自在な支柱の上端は筐体の天板下面に固定され、下端は筐体の底板の中央部を切り抜いて分離された分離底板の上面に支持され、前記伸縮自在な支柱を伸縮させる駆動機構を設け、
当該駆動機構により前記伸縮自在な支柱の下端部が伸びて下降し、前記表示機構部が前記筐体外の下方に突出可能な構成であることを特徴とする、昇降機能付きディスプレイ表示器。
【請求項２】
前記伸縮自在な支柱が上部支柱、中部支柱、下部支柱から成り、前記上部支柱の上端が前記筐体の天板下面に固定され、前記中部支柱が上部支柱の外周に、下部支柱が中部支柱の外周に夫々摺動自在に被冠され、下部支柱の下端は、前記筐体の底板の前記分離底板に固定され、前記表示機構部は下部支柱の前部に固定され、
前記駆動機構は、前記伸縮自在な支柱の一方の側方に設けた第１アクチュエータと、前記伸縮自在な支柱の他方の側方に設けた第２アクチュエータとから成り、前記第１アクチュエータの上端を前記天板下面に、その下端が中部支柱の下端側部に固定され、前記第２アクチュエータの上端が中部支柱の上端側部に、その下端が前記分離底板の上面に固定され、
前記下部支柱の一側は、前記第１アクチュエータの下端が中部支柱の下端側部に支持された支持部が通る切り欠き開口部が下端側部箇所から上端まで設けられていることを特徴とする、請求項１に記載の昇降機能付きディスプレイ表示器。
【請求項３】
前記各下部支柱の切り欠き開口部を被い、内部に前記第１アクチュエータを通す空洞部を有する筒状カバーを下部支柱の一側に設け、左右の下部支柱の筒状カバー間に横材を渡し、当該横材に前記表示機構部を支持させたことを特徴とする、請求項２に記載の昇降機能付きディスプレイ表示器。
【請求項４】
前記表示機構部への電源線及び信号線は、前記筐体内にくの字型に設けられたケーブルガイドに支持され、ケーブルガイドの一端は天板下面の一端に回転自在に支持され、他端は前記伸縮自在な支柱の下部又は前記表示機構部に回転自在に支持され、伸縮自在な支柱の伸縮に対応してケーブルガイドがくの字を開閉する構成となっていることを特徴とする、請求項１〜３のいずれかに記載の昇降機能付きディスプレイ表示器。
【考案の詳細な説明】
【技術分野】
【０００１】
この考案は、駅構内等に設置されている液晶や発光ダイオード等のディスプレイを用いた発車標等の表示器において、メインテナンス性を考慮して内部機構が昇降する機能を備えたディスプレイ表示器に関するものである。
【背景技術】
【０００２】
従来、駅構内、ホーム、その他の公共構築物の内部に設けられている液晶ディスプレイ（ＬＣＤ）を用いた発車標、その他の表示器は高所に設置されている場合が多い。特許文献１及び２の表示器も天井箇所から吊り下げられて設置されている。これらの表示器は、メインテナンスを行う際は、作業員が脚立に昇って表示器の内部を点検している。
【先行技術文献】
【特許文献】
【０００３】
【特許文献１】特開平０７−１４９２３７号公報
【特許文献２】特許第６６７８４８２号公報
【考案の開示】
【考案が解決しようとする課題】
【０００４】
特許文献１や２の様に高所に設置されている表示器のメインテナンスにおいては、脚立を用いた高所作業となってしまう。これには安全性、作業効率、人員の課題がある。
【０００５】
作業の安全性については、脚立での作業は不安定なものとなるため、作業者の墜落、部品や工具類の落下等が無いよう注意をする必要があり、安全性に欠けている。また、作業の効率については、前記安全性を確認した上で作業を行うため、脚立の位置を作業内容ごとに適切な場所に移動させる必要があり、その都度作業者は脚立の上り下りや安全確認が必要となる。従って、作業効率が悪い。
【０００６】
最後に、作業に掛かる人員については、ＬＣＤの交換作業で考えた場合、脚立の上での作業者が２名、外したＬＣＤを受け取る人が２名、脚立を保持するのに２名で、少なくとも６名となり、多数の作業者が必要となる。
【０００７】
そこで、この考案は上記の課題を解決するために、高所に設置されている作業対象物である表示器を床上で作業ができる位置まで下降させる機能を設け、脚立上での作業を廃止し、安全かつ作業効率の良い、さらに、必要作業員数の少ない作業が可能となる表示器を提供することを目的としたものである。
【課題を解決するための手段】
【０００８】
請求項１の考案は、高所に設置される、筐体の内部にディスプレイを含む表示機構部を有し、筐体の前面に前記ディスプレイに面した窓を有する表示器において、前記表示機構部が筐体内部の左右に設けられた２本の伸縮自在な支柱の下部に支持され、前記伸縮自在な支柱の上端は筐体の天板下面に固定され、下端は筐体の底板の中央部を切り抜いて分離された分離底板の上面に支持され、前記伸縮自在な支柱を伸縮させる駆動機構を設け、当該駆動機構により前記伸縮自在な支柱の下端部が伸びて下降し、前記表示機構部が前記筐体外の下方に突出可能な構成である、昇降機能付きディスプレイ表示器とした。
【０００９】
また、請求項２の考案は、前記伸縮自在な支柱が上部支柱、中部支柱、下部支柱から成り、前記上部支柱の上端が前記筐体の天板下面に固定され、前記中部支柱が上部支柱の外周に、下部支柱が中部支柱の外周に夫々摺動自在に被冠され、下部支柱の下端は、前記筐体の底板の前記分離底板に固定され、前記表示機構部は下部支柱の前部に固定され、前記駆動機構は、前記伸縮自在な支柱の一方の側方に設けた第１アクチュエータと、前記伸縮自在な支柱の他方の側方に設けた第２アクチュエータとから成り、前記第１アクチュエータの上端を前記天板下面に、その下端が中部支柱の下端側部に固定され、前記第２アクチュエータの上端が中部支柱の上端側部に、その下端が前記分離底板の上面に固定され、前記下部支柱の一側は、前記第１アクチュエータの下端が中部支柱の下端側部に支持された支持部が通る切り欠き開口部が下端側部箇所から上端まで設けられている、請求項１に記載の昇降機能付きディスプレイ表示器とした。
【００１０】
また、請求項３の考案は、前記各下部支柱の切り欠き開口部を被い、内部に前記第１アクチュエータを通す空洞部を有する筒状カバーを下部支柱の一側に設け、左右の下部支柱の筒状カバー間に横材を渡し、当該横材に前記表示機構部を支持させた、請求項２に記載の昇降機能付きディスプレイ表示器とした。
【００１１】
また、請求項４の考案は、前記表示機構部への電源線及び信号線は、前記筐体内にくの字型に設けられたケーブルガイドに沿って支持され、ケーブルガイドの一端は天板下面の一端に回転自在に支持され、他端は前記伸縮自在な支柱の下部又は前記表示機構部に回転自在に支持され、伸縮自在な支柱の伸縮に対応してケーブルガイドがくの字を開閉する構成となっている、請求項１〜３のいずれかに記載の昇降機能付きディスプレイ表示器とした。
【考案の効果】
【００１２】
請求項１の考案によれば、表示器の内部の表示機構部を点検、又は修理する際、筐体の内部に収納されている表示機構部を筐体の下方に降ろすことができるため、上記点検又は修理を作業者は床上で行え、従来の脚立を用いた作業に比べ、安全性、作業効率を向上させることができる。また、作業人員に関しても、少ない作業員で行うことができる。
【００１３】
また、請求項２の考案によれば、伸縮自在な支柱の伸縮の駆動機構にアクチュエータを用いているため、筐体内で場所を取らず、また、作業者は昇降操作を遠隔で行うことができる。
【００１４】
また、請求項３の考案によれば、下部支柱に筒状カバーを設けているため、下部支柱が中部支柱の外周に被冠される際も、第１アクチュエータに下部支柱が引っ掛かったりする恐れがない。また、筒状カバーに、表示機構部を支持する横材を固定することができ、構成を簡素化することが出来る。
【００１５】
また、請求項４の考案によれば、表示機構部が筐体に対して昇降しても、電源線や信号線を成すケーブルがケーブルカイドに沿って支持されているため、常にその長さを一定に保ち、表示機構部の昇降に際しても、ケーブルが伸びたり、たるんだりして他物に引っ掛ったり絡んだりすることがなく、スムーズな昇降が行える。
【図面の簡単な説明】
【００１６】
【図１】この考案の実施の形態例１の昇降機能付きディスプレイ表示器の正面図である。
【図２】この考案の実施の形態例１の昇降機能付きディスプレイ表示器の平面図である。
【図３】この考案の実施の形態例１の昇降機能付きディスプレイ表示器の底面図である。
【図４】この考案の実施の形態例１の昇降機能付きディスプレイ表示器の側面図である。
【図５】この考案の実施の形態例１の昇降機能付きディスプレイ表示器の使用状態を示す正面図である。
【図６】この考案の実施の形態例１の昇降機能付きディスプレイ表示器の表示機能部を下げた使用状態を示す正面図である。
【図７】この考案の実施の形態例１の昇降機能付きディスプレイ表示器の表示機構部を下げた状態の昇降構造を示す正面図である。
【図８】この考案の実施の形態例１の昇降機能付きディスプレイ表示器の表示機構部を下げた状態でのケーブルガイドの状態を示す正面図である。
【図９】この考案の実施の形態例１の昇降機能付きディスプレイ表示器の伸縮自在な支柱が伸長していない状態を示す正面図である。
【図１０】この考案の実施の形態例１の昇降機能付きディスプレイ表示器の伸縮自在な支柱が下方に伸びている途中の状態を示す正面図である。
【図１１】この考案の実施の形態例１の昇降機能付きディスプレイ表示器の伸縮自在な支柱の最長の長さに伸びている状態を示す正面図である。
【図１２】この考案の実施の形態例１の昇降機能付きディスプレイ表示器の伸縮自在な支柱の中部支柱、下部支柱及び第１アクチュエータの関係を示す一部横断面図である。
【図１３】この考案の実施の形態例１の昇降機能付きディスプレイ表示器の伸縮自在な支柱の上部支柱、中部支柱、下部支柱の関係を示す一部縦断面図である。
【考案を実施するための形態】
【００１７】
（実施の形態例１）
この考案の実施の形態例１の昇降機能付きディスプレイ表示器Ａを図に基づいて説明する。
【００１８】
この昇降機能付きディスプレイ表示器Ａは、図１〜図４に示すように、箱形の筐体１内にディスプレイ付きの表示機構部２が収納され、当該表示機構部２のディスプレイに面した筐体１の前面には、前記ディスプレイが外部から透視できる窓３が設けられている。また、当該筐体１の前記窓３を有する前面部は扉４となっており、当該扉４は筐体１の天板１ａ箇所で蝶番５により筐体１本体に対して開閉自在となっている。この扉４を開けると筐体１の前記ディスプレイ付きの表示機構部２の内部が露出する。
【００１９】
また、前記筐体１の底板１ｂの中央部は当該底板１ｂから切り離された分離底板１ｃが設けられている。また、筐体１の前記天板１ａの上面には、当該昇降機能付きディスプレイ表示器Ａを吊るすための吊り下げ補助金具６が設けられている。
【００２０】
この昇降機能付きディスプレイ表示器Ａは、図５に示すように、前記吊り下げ補助金具６を、例えば駅構内の天井７から垂下した吊り下げ棒８の下端に固定して吊り下げられる。この状態では床面９に作業者が立って手を上げても、表示器Ａに届かない程高所に吊り下げられている。
【００２１】
そして、当該昇降機能付きディスプレイ表示器Ａの内部のディスプレイ付きの表示機構部２の修理や点検作業をする際は、図６に示すように、前記表示機構部２を筐体１から下方に垂下させる。
【００２２】
この表示機構部２を筐体１の下方に垂下させる構成を以下に説明する。図７に示すように、筐体１の天板１ａの左右両側の下面から伸縮自在な支柱１１、１１が設けられている。
【００２３】
これらの伸縮自在な各支柱１１は、上部支柱１１ａ、中部支柱１１ｂ及び下部支柱１１ｃから構成され、上部支柱１１ａの上端が天板１ａの下面に固定され、中部支柱１１ｂは上部支柱１１ａの外周に摺動自在に被冠され、下部支柱１１ｃは中部支柱１１ｂの外周に摺動自在に被冠され、かつ下部支柱１１ｃの下端は前記分離底板１ｃの上面に固定されている。また、当該左右の下部支柱１１ｃに前記表示機構部２が支持されている。
【００２４】
そして、左右の伸縮自在な各支柱の伸縮を行う駆動機構は、第１アクチュエータ１２と第２アクチュエータ１３とから構成されている。この第１アクチュエータ１２は左右の伸縮自在な各支柱１１の内側の脇に夫々設けられている。この第１アクチュエータ１２の上端は前記天板１ａ下面に固定され、第１アクチュエータ１２の作動棒１２ａの下端が前記中部支柱１１ｂの下端側部に固定されている。また、前記第２アクチュエータ１３は前記左右の伸縮自在な支柱１１の外側の脇に夫々設けられている。この第２アクチュエータ１３の上端は前記中部支柱１１ｂの上端側部に固定され、第２アクチュエータ１３の作動棒１３ａの下端は前記分離底板１ｃの上面に固定されている。
【００２５】
また、前記下部支柱１１ｃは中部支柱１１ｂの外周に摺動自在に被冠されているが、中部支柱１１ｂの外周一側には第１アクチュエータ１２の作動棒１２ａが設けられ、中部支柱１１ｂの外周下部には前記作動棒１２ａの下端が支持固定される支持金具１２ｂが付いている。この支持金具１２ｂを避けるため、図１２及び図１３に示すように、前記下部支柱１１ｃの一側面には切り欠き開口部１４が設けられており、当該切り欠き開口部１４は下部支柱１１ｃの下端よりやや上部の箇所から上端まで、長手方向に伸びている。この切り欠き開口部１４内に前記支持金具１２ｂ位置するため、下部支柱１１ｃは中部支柱１１ｂの外周を長手方向に摺動自在となっている。そしてこの切り欠き開口部１４の両縁から前記第１アクチュエータ１２を被う筒状カバー１５が設けられている。
【００２６】
この様にして、左右の下部支柱１１ｃの内側縁に筒状カバー１５が設けられており、図１２に示すように、この左右の筒状カバー１５、１５間に横材１６が渡され、この横材１６に前記表示機構２が支持されている（ただし、図１２では右側の部材のみ表示）。
【００２７】
また、図８に示すように、筐体１の内部であって、前記表示機構２の裏側の空間にくの字型のケーブルガイド１７が設けられている。このケーブルガイド１７の上端は筐体１の天板１ａ下面の一側に回転自在に支持され、下端は前記横材１６の一側に回転自在に支持されており、中央部も回転自在に接続されており、横材１６が上下するに伴って、くの字の開きが変化する。
【００２８】
このケーブルガイド１７は筐体１の外部から導入された電源線や内部の信号線等を前記表示機構部２に接続するケーブルを支持するものであり、前記電源線や信号線はこのケーブルガイド１７に沿って配線されている。従って、前記表示機構部２がどの高さにあろうと、前記ケーブルは伸びたり縮んだりせず、一定の長さを保持して接続されている。
【００２９】
この考案の昇降機能付きディスプレイ表示器Ａは以上の構造であり、常時は図５の状態で、表示機構部２は筐体１内に収納され、窓３を通して表示機構部２のディスプレイにより、発車標等が表示されている。この状態では伸縮自在な支柱１１は図９の状態である。すなわち上部支柱１１ａの外周に中部支柱１１ｂ及び中部支柱１１ｂの外周に下部支柱１１ｃが重なって被冠されている。
【００３０】
そして、前記表示機構部２を点検又は修理する場合は、床面９に作業者が立って、リモコン（図示省略）により昇降機能付きディスプレイ表示器Ａの操作をする。リモコンからの信号を筐体１の側面に設けた受信部２ａで受け、コントローラ（図示省略）により第１アクチュエータ１２及び第２アクチュエータ１３を作動させる。これにより作動棒１２ａ及び１３ａが夫々下方に伸びる。図１０は作動棒１２ａ及び１３ａが下方に伸びている途中の状態を示すものであり、上部支柱１１ａの下部から中部支柱１１ｂが伸び、これと同時に中部支柱１１ｂの下部から下部支柱１１ｃが伸びている。
【００３１】
この様に第１アクチュエータ１２と第２アクチュエータ１３が同時に作動する。そして、前記作動棒１２及び作動棒１３ａが下方に伸びきり、図１１の状態となる。この状態では上部支柱１１ａの下方に中部支柱１１ｂ、その下方に下部支柱１１ｃが伸びており、下部支柱１１ｃに支持された前記表示機構部２は、図６に示すように、床面９に近づいており、作業者が床面９に立って表示機構部２の点検や修理が可能となる。
【００３２】
また、前記第１アクチュエータ１２及び第２アクチュエータ１３は前記表示機構部２にセンサを組み込み、当該表示機構部２が常時水平状態を維持するため動作をコントロールされている。これは、アクチュエータの個体差による昇降速度の違いを調整するためで、これにより昇降時に水平を保ち、スムーズな動作を行えるようにしている。またこれらのアクチュエータの作動はリモコンで筐体１の内部に設けた前記コントローラ（図示省略）を遠隔操作することで行っている。
【００３３】
また、前記表示機構部２の点検や修理が終われば、第２アクチュエータ１３及び第１アクチュエータ１２を順に作動させて、表示機構部２を筐体１に収納させ、図５の状態の戻すこととなる。
【００３４】
なお、実施の形態例１では収縮自在な支柱１１の駆動をアクチュエータで行っているが、他の駆動機構を設けても良い。また、中部支柱１１ｂの一側の切り欠き開口部１４の両縁に筒状カバー１５を設けたが、当該筒状カバー１５は必須の構成ではない。筒状カバー１５を設けない場合は、前記表示機構部２は伸縮自在な支柱１１の下部支柱１１ｃに直接取り付ければよい。また、筐体１内の電源線や信号線等のケーブルをケーブルガイド１７に沿って支持させているが、このケーブルガイド１７も必ずしも設けなくてもよい。
【符号の説明】
【００３５】
Ａ        昇降機能付きディスプレイ表示器
１        筐体                      １ａ    天板
１ｂ      底板                      １ｃ    分離底板
２       表示機構部                 ２a     受信部
３        窓                        ４      扉
５      蝶番                        ６      取り下げ補助金具
７      天井                        ８      吊り下げ棒
９      床面                        １１    自在な支柱
１１ａ  上部支柱                    １１ｂ  中部支柱
１１ｃ  下部支柱
１２    第１アクチュエータ          １２ａ  作動棒
１３    第２アクチュエータ          １３ａ  作動棒
１４    切り欠き開口部              １５    筒状カバー
１６    横材                        １７    ケーブルガイド
【図１】
0003233944.tif 000003
【図２】
0003233944.tif 000004
【図３】
0003233944.tif 000005
【図４】
0003233944.tif 000006
【図５】
0003233944.tif 000007
【図６】
0003233944.tif 000008
【図７】
0003233944.tif 000009
【図８】
0003233944.tif 000010
【図９】
0003233944.tif 000011
【図１０】
0003233944.tif 000012
【図１１】
0003233944.tif 000013
【図１２】
0003233944.tif 000014
【図１３】
0003233944.tif 000015